【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
太陽光パネル（２）の旋回扇動駆動部（３）であって、
支持台（９）と、
上記支持台（９）に取り付けられ、略垂直な第１軸（６）の周りを旋回するロータリテーブル（１２）と、
上記ロータリテーブル（１２）に取り付けられ、略水平な第２軸（７）の周りを旋回する旋回プレート（１６）と、
上記旋回プレート（１６）に取り付けられ、第３軸（５）の周りを旋回し、当該第３軸（５）の周りを上記太陽光パネル（２）が閉扇及び開扇することが可能なように上記太陽光パネル（２）が取り付け可能な扇動シャフト（１８）と、を備え、
上記ロータリテーブル（１２）は、クランクロッカー・リンク機構を形成するために、上記第２軸（７）の周りで上記旋回プレート（１６）の第１端（１５）を取り付け、そこから離間した位置において、連結ロッド（２３）を用いて上記旋回プレート（１６）の第２端（２４）に連結する少なくとも一つのクランク（２０）を取り付けることを特徴とする旋回扇動駆動部（３）。
【請求項２】
上記少なくとも一つのクランク（２０）の取付軸（２１’）は、上記ロータリテーブル（１２）上を上記第２軸（７）よりも下側に位置することを特徴とする請求項１に記載の旋回扇動駆動部（３）。
【請求項３】
上記ロータリテーブル（１２）は、上側に突出する２つのベアリングアーム（１４）を備え、当該２つのベアリングアーム（１４）の間に、上記旋回プレート（１６）の上記第１端（１５）が取り付けられていることを特徴とする請求項１又は２に記載の旋回扇動駆動部（３）。
【請求項４】
上記少なくとも一つのクランク（２０）は２つのクランク（２０）を含み、当該２つのクランク（２０）はそれぞれ対応する連結ロッド（２３）を備え、２つの連結ロッド（２３）の間に、上記旋回プレート（１６）の上記第２端（２４）が取り付けられていることを特徴とする請求項１に記載の旋回扇動駆動部（３）。
【請求項５】
上記２つのクランク（２０）は共通シャフト（２１）上に取り付けられ、当該共通シャフト（２１）は、上記ロータリテーブル（１２）のベアリング・タブ（２２）の内部に取り付けられていることを特徴とする請求項４に記載の旋回扇動駆動部（３）。
【請求項６】
上記ロータリテーブル（１２）は一体で製造されていることを特徴とする請求項１に記載の旋回扇動駆動部（３）。
【請求項７】
上記少なくとも一つのクランク（２０）は、第１ウォーム・ギア（２８）を介して、上記ロータリテーブル（１２）に取り付けられた第１電動モータ（２６、２７）によって駆動することを特徴とする請求項１に記載の旋回扇動駆動部（３）。
【請求項８】
上記ロータリテーブル（１２）は、第２ウォーム・ギア（３１）を介して、上記支持台（９）に取り付けられた第２電動モータ（２９,３０）によって駆動することを特徴とする請求項１に記載の旋回扇動駆動部（３）。
【請求項９】
上記扇動シャフト（１８）は、カップリング（４１、４２）を介して、上記ロータリテーブル（１２）、又は、上記ロータリテーブル（１２）の駆動部（２９〜３１）により駆動可能であり、
上記カップリング（４１、４２）は、上記旋回プレート（１６）の旋回によって作動することを特徴とする請求項１に記載の旋回扇動駆動部（３）。
【請求項１０】
上記カップリング（４１、４２）は、上記旋回プレート（１６）の静止位置で連結し、上記静止位置から離れた上記旋回プレート（１６）の旋回位置では連結が解除していることを特徴とする請求項９に記載の旋回扇動駆動部（３）。
【請求項１１】
上記カップリング（４１、４２）は、ピニオン（４１）により形成され、ギアシャフト（３５）と上記扇動シャフト（１８）上に位置するギアリム（４２）とを介して上記ロータリテーブル（１２）により駆動し、上記ギアリム（４２）は、上記旋回プレート（１６）が上記静止位置に旋回するときに上記ピニオン（４１）と係合し、上記旋回プレート（１６）が静止位置から旋回するときに上記ピニオン（４１）との係合が解除されることを特徴とする請求項１０に記載の旋回扇動駆動部（３）。
【請求項１２】
上記扇動シャフト（１８）は、カップリング（４１、４２）を介して、上記ロータリテーブル（１２）、又は、上記ロータリテーブル（１２）の駆動部（２９〜３１）により駆動可能であり、
上記扇動シャフト（１８）は、他のカップリング（４３〜４９）を用いて、上記旋回プレート（１６）に対して回転固定が可能であることを特徴とする請求項１に記載の旋回扇動駆動部（３）。
【請求項１３】
上記他のカップリング（４３〜４９）は、上記旋回プレート（１６）の静止位置では連結が解除されており、当該静止位置から離れた上記旋回プレート（１６）の旋回位置では連結されていることを特徴とする請求項１２に記載の旋回扇動駆動部（３）。
【請求項１４】
上記他のカップリングはブレーキディスク（４５）であり、当該ブレーキディスク（４５）は、上記扇動シャフト（１８）に回転固定され、上記旋回プレート（１６）のブレーキ表面（４３）に対してバネ留めされ、上記旋回プレート（１６）が上記静止位置に向けて旋回するときに上記ロータリテーブル（１２）の作動部材（４６）によって上記ブレーキ表面（４３）から離間可能であることを特徴とする請求項１３に記載の旋回扇動駆動部（３）。
【請求項１５】
上記他のカップリング（４３〜４９）は、バネ留めされたブレーキピニオン（４７）であり、当該ブレーキピニオン（４７）は、上記旋回プレート（１６）上を回転固定され、かつ軸方向に移動可能であり、上記扇動シャフト（１８）上のギアリム（４２）と係合するためのブレーキ歯（４８）を有し、上記旋回プレート（１６）が上記静止位置に向けて旋回するときに、上記バネ留めに抗して押圧されて上記ギアリム（４２）との係合が解除されることを特徴とする、請求項１３に記載の旋回扇動駆動部（３）。
【請求項１６】
太陽光パネルの支持装置であって、
支持台と、
上記支持台に対して水平軸の周りを旋回するように取り付けられた旋回プレートと、
上記旋回プレートに対して開扇軸の周りを旋回運動するために上記旋回プレート上に取り付けられた複数の太陽光パネルと、
上記支持台に対して旋回するために取り付けられた少なくとも一つのクランクと、
上記少なくとも一つのクランクの旋回運動によって上記旋回プレートが上記水平軸の周りを旋回するように、上記少なくとも一つのクランクと上記旋回プレートとの間に連結された連結ロッドと、を備えることを特徴とする支持装置。
【請求項１７】
上記旋回プレートは上記水平軸の周りを旋回するために第１端で取り付けられ、上記連結ロッドは上記旋回プレートの第２端に連結され、上記旋回プレートの上記第２端は、上記旋回プレートの上記第１端の反対側に位置することを特徴とする請求項１６に記載の支持装置。
【請求項１８】
上記旋回プレートは、水平位置と垂直位置の間で垂直軸の周りを可動であることを特徴とする請求項１６に記載の支持装置。
【請求項１９】
上記支持台に対して旋回する共通シャフトに取り付けられた、第１クランク及び第２クランクと、
上記第１クランクと上記旋回プレートとの間に連結された第１連結ロッドと、
上記第２クランクと上記旋回プレートとの間に連結された第２連結ロッドと、
を備えることを特徴とする請求項１６に記載の支持装置。
【請求項２０】
上記支持台に対して垂直軸の周りを旋回運動するために上記支持台に取り付けられたロータリテーブルをさらに備え、
上記少なくとも一つのクランクは、上記ロータリテーブルに枢動可能に取り付けられ、
上記旋回プレートは、上記ロータリテーブルに枢動可能に取り付けられていることを特徴とする請求項１６に記載の支持装置。
【請求項２１】
上記旋回プレートに対して上記開扇軸の周りを旋回するように上記旋回プレートに取り付けられた扇動シャフトをさらに備え、
上記複数の太陽光パネルのうちの少なくとも一つの太陽光パネルが上記扇動シャフトと共に可動なように、上記複数の太陽光パネルは上記扇動シャフトに取り付けられていることを特徴とする請求項１６に記載の支持装置。
【請求項２２】
上記支持台に対して垂直軸の周りを旋回運動するために上記支持台に取り付けられたロータリテーブルをさらに備え、
上記少なくとも一つのクランクは、上記ロータリテーブルに枢動可能に取り付けられ、
上記旋回プレートは、上記ロータリテーブルに枢動可能に取り付けられ、
上記ロータリテーブルの動作によって上記扇動シャフトが上記開扇軸の周りを旋回するように、上記扇動シャフトと上記ロータリテーブルとの間にカップリングが設けられていることを特徴とする請求項２１に記載の支持装置。
【請求項２３】
上記水平軸の周りの上記旋回プレートの動作によって、上記扇動シャフトと上記開扇軸との間の上記カップリングが、係合され、また、その係合が解除されることを特徴とする請求項２２に記載の支持装置。
【請求項２４】
上記開扇軸の周りの上記扇動シャフトの動作に抗するように設けられたブレーキをさらに備えることを特徴とする請求項２１に記載の支持装置。
【請求項２５】
上記ブレーキは、上記水平軸の周りの上記旋回プレートの動作に基づいて、係合し、また、その係合が解除されることを特徴とする請求項２４に記載の支持装置。
【請求項２６】
上記ブレーキは、水平位置において上記旋回プレートとの係合が解除され、かつ、上記旋回プレートが上記水平位置から離れるにつれ上記扇動シャフトの動作に抗するために係合することを特徴とする請求項２５に記載の支持装置。
【請求項２７】
上記少なくとも一つのクランクは、上記水平軸の下方に位置する取付軸の周りを旋回するように設けられることを特徴とする請求項１６に記載の支持装置。

【手続補正２】
【補正対象書類名】明細書
【補正対象項目名】発明の名称
【補正方法】変更
【補正の内容】
【発明の名称】太陽光パネルの旋回扇動駆動部、及び支持装置